(57)【要約】      （修正有）【課題】照明制御システムにおいて、音、文字および画像の少なくとも１以上の情報を使用した機能を容易に追加できる操作端末を提供する。【解決手段】操作端末１０は、照明装置を含む負荷を制御するための操作を受け付ける操作部１１と、音、文字および画像の少なくとも１以上の情報を報知する報知部１２と、通信部１３と、を有する。通信部は、負荷を制御するための情報の送信と、音、文字および画像の少なくとも１以上の情報の受信または送信とを、同じ伝送方式により行う。【選択図】図２
2020136929.tif 000002
【特許請求の範囲】
【請求項１】
照明装置を含む負荷を制御するための操作を受け付ける操作部と、
音、文字および画像の少なくとも１以上の情報を報知する報知部と、
通信部と、を有し、
前記通信部は、前記負荷を制御するための情報の送信と、前記音、文字および画像の少なくとも１以上の情報の受信または送信とを、同じ伝送方式により行う操作端末。
【請求項２】
さらに、
音、文字および画像の少なくとも１以上の情報を取得する取得部と、
前記取得部が取得した情報を変換する変換部と、を有し、
前記通信部は、前記変換部が変換した情報を前記伝送方式により送信する請求項１に記載の操作端末。
【請求項３】
さらに、
前記報知部と異なるものであって、前記操作部への操作に基づいた表示を行う第１表示部を有する請求項１または２に記載の操作端末。
【請求項４】
前記通信部は、電力線を介して通信するものであり、
前記操作端末は、前記電力線を介して電力供給を受けるものである請求項１〜３のいずれか１項に記載の操作端末。
【請求項５】
前記電力線は、２線式の電力線を含む請求項４に記載の操作端末。
【請求項６】
前記報知部は、前記文字および画像の少なくとも１以上の情報を表示する第２表示部を含む請求項１〜５のいずれか１項に記載の操作端末。
【請求項７】
前記報知部は、前記音の情報を出力する音出力部を含む請求項１〜６のいずれか１項に記載の操作端末。
【請求項８】
照明装置を含む負荷を制御するための制御装置と前記負荷との通信方法であって、
前記負荷を制御するための情報の送信と、音、文字および画像の少なくとも１以上の情報の受信または送信とを、同じ伝送方式により行う通信方法。
【請求項９】
コンピュータに請求項８に記載の通信方法を実行させるためのプログラム。
【発明の詳細な説明】
【技術分野】
【０００１】
本発明は、操作端末、通信方法およびプログラムに関する。
【背景技術】
【０００２】
従来、親機、照明装置等の負荷およびユーザに操作されるスイッチ等を備え、スイッチへの操作を親機が認識し、当該操作に基づいて親機が負荷を制御する照明制御システムが開示されている（例えば特許文献１）。このような照明制御システムによれば、親機がスイッチへの操作に基づく信号の内容を判断して、当該信号に含まれる宛先の負荷へと信号を送信することから、負荷とスイッチとを一対一に接続し、当該スイッチから当該負荷を制御するための配線が不要となる。これにより、例えば、大規模な建物において照明制御システムにおける配線を少なくすることができる。
【先行技術文献】
【特許文献】
【０００３】
【特許文献１】特開平０８−４７０６８号公報
【発明の概要】
【発明が解決しようとする課題】
【０００４】
上記照明制御システムにおけるスイッチ等の操作端末について、多機能化の要望から、負荷を制御するための機能だけでなく、音、文字および画像の少なくとも１以上の情報を使用した機能も追加することが望まれている。
【０００５】
しかし、従来の照明制御システムにおいて、音、文字および画像の少なくとも１以上の情報を使用した機能を有する操作端末を適用する場合、負荷を制御するための情報の通信のための配線とは別に、音、文字および画像の少なくとも１以上の情報の通信のための配線が必要となり、照明制御システム全体が大型化および高コスト化してしまう。
【０００６】
そこで、本発明は、照明制御システムにおいて、音、文字および画像の少なくとも１以上の情報を使用した機能を容易に追加できる操作端末等を提供することを目的とする。
【課題を解決するための手段】
【０００７】
本発明の一態様に係る操作端末は、照明装置を含む負荷を制御するための操作を受け付ける操作部と、音、文字および画像の少なくとも１以上の情報を報知する報知部と、通信部と、を有し、前記通信部は、前記負荷を制御するための情報の送信と、前記音、文字および画像の少なくとも１以上の情報の受信または送信とを、同じ伝送方式により行う。
【０００８】
本発明の一態様に係る通信方法は、照明装置を含む負荷を制御するための制御装置と前記負荷との通信方法であって、前記負荷を制御するための情報の送信と、音、文字および画像の少なくとも１以上の情報の受信または送信とを、同じ伝送方式により行う。
【０００９】
本発明の一態様に係るプログラムは、コンピュータに上記の通信方法を実行させるためのプログラムである。
【発明の効果】
【００１０】
本発明の一態様に係る操作端末等によれば、音、文字および画像の少なくとも１以上の情報を使用した機能を容易に追加できる。
【図面の簡単な説明】
【００１１】
【図１】実施の形態に係る照明制御システムの一例を示す構成図である。
【図２】実施の形態に係る操作端末の一例を示す構成図である。
【図３】実施の形態に係る操作端末の一例を示す外観正面図である。
【図４】実施の形態に係る操作端末の動作の一例を示すフローチャートである。
【図５】実施の形態に係る照明制御システムにおいて用いられる伝送信号の一例を示す図である。
【図６】音、文字および画像の少なくとも１以上の情報を重畳された伝送信号の一例を示す図である。
【図７】音、文字および画像の少なくとも１以上の情報を重畳された伝送信号の他の一例を示す図である。
【図８】実施の形態に係る操作端末の他の一例を示す外観正面図である。
【発明を実施するための形態】
【００１２】
以下では、本発明の実施の形態について、図面を用いて詳細に説明する。なお、以下に説明する実施の形態は、いずれも本発明の好ましい一具体例を示すものである。従って、以下の実施の形態で示される数値、形状、構成要素、構成要素の配置および接続形態、並びに、ステップ（工程）およびステップの順序等は、一例であり、本発明を限定する趣旨ではない。よって、以下の実施の形態における構成要素のうち、本発明の最上位概念を示す独立請求項に記載されていない構成要素については、任意の構成要素として説明される。
【００１３】
また、各図は、模式図であり、必ずしも厳密に図示されたものではない。また、各図において、同じ構成要素については同じ符号を付している。
【００１４】
（実施の形態）
以下、実施の形態について、図１から図８を用いて説明する。
【００１５】
［構成］
まず、実施の形態に係る照明制御システムの構成について図１を用いて説明する。
【００１６】
図１は、実施の形態に係る照明制御システム１００の一例を示す構成図である。
【００１７】
照明制御システム１００は、操作端末１０、伝送ユニット２０、無線アクセスポイント（無線ＡＰ）３０、複数の負荷４０を備える。複数の負荷４０には、照明装置が含まれる。照明制御システム１００において、操作端末１０、伝送ユニット２０、無線ＡＰ３０は、電力線１１０によって相互に接続されている。なお、照明制御システム１００では、これらの機器の他にも、他の操作端末、負荷４０への電力供給のオンオフを切り替えるリレーまたはセンサ等が電力線１１０に接続され得るが、図示を省略している。照明制御システム１００は、伝送ユニット２０が中心となって（言い換えると、伝送ユニット２０が親機となって）、照明制御システム１００における制御対象である照明装置等の負荷４０の制御が可能なシステムである。負荷４０としての照明装置の制御とは、照明装置のオンオフ制御、調光制御、シーン制御、監視制御等のことである。シーン制御とは、執務エリア、エントランス、会議室、休憩室、和室、洋室、寝室、書斎等の照明装置の設置場所、または、朝、昼、夜、食事時間、団らん時間等の照明装置が使用される時間帯等に応じて照明装置を調光調色制御することである。監視制御とは、照明装置の制御状態を監視することである。これらの制御は、ユーザによる操作端末１０への操作によって行うことができる。
【００１８】
伝送ユニット２０は、照明制御システム１００において中心となって動作する親機コントローラである。伝送ユニット２０は、電力線１１０に接続された操作端末１０からの信号を、無線ＡＰ３０を介して負荷４０に送信する。なお、負荷４０は、無線ＡＰ３０を介さずに電力線１１０に接続されていてもよく、伝送ユニット２０は、電力線１１０に接続された操作端末１０からの信号を、直接負荷４０に送信してもよい。
【００１９】
無線ＡＰ３０は、負荷４０と無線通信を行い、伝送ユニット２０からの指示（具体的には、操作端末１０が伝送ユニット２０へ送信した、負荷４０を制御するための情報）に応じて負荷４０を制御する。例えば、無線ＡＰ３０は、負荷４０として特定の照明装置をオンする指示を受けた場合には、当該特定の照明装置をオンするように当該特定の照明装置を制御し、特定の照明装置をオフする指示を受けた場合には、当該特定の照明装置をオフするように当該特定の照明装置を制御する。なお、負荷４０は、無線ＡＰ３０の代わりに例えばリレー等を介して電力線１１０に接続されていてもよい。この場合、リレーは、自身に接続された負荷４０への電力供給をオンする指示を受けた場合、自身に接続された負荷４０への電力供給をオンし、自身に接続された負荷４０への電力供給をオフする指示を受けた場合、自身に接続された負荷４０への電力供給をオフする。
【００２０】
なお、照明制御システム１００は、伝送ユニット２０を備えるが、備えていなくてもよく、操作端末１０と無線ＡＰ３０または負荷４０とが、伝送ユニット２０を介さずに電力線１１０によって通信を行ってもよい。
【００２１】
照明制御システム１００では、例えば、時分割の多重伝送方式が採用されており、電力線１１０は、２線式の電力線を含む。電力線１１０において、２線間の電位差（例えば±２４Ｖ）によるパルス信号によって信号（情報）が伝送される。つまり、電力の供給および情報の伝達を電力線１１０によって同時に行うことができる。また、照明制御システム１００では、例えば、サイクリック伝送方式が採用されており、伝送ユニット２０から送信された信号は、電力線１１０に接続された全ての機器を通過していく。各機器は、当該信号の内容を確認し、内容に応じて当該信号を必要とする機器が当該信号を受信する。例えば、各機器は、当該信号に自身のアドレス情報が含まれている場合には当該信号を受信し、自身のアドレス情報が含まれていない場合には当該信号を無視する。この種の照明制御システムとしては例えば、ＮＭＡＳＴ（登録商標）のようなシステムがある。
【００２２】
照明制御システム１００によれば、負荷４０と操作端末１０とを一対一に接続する配線が不要となる。具体的には、負荷４０が８つある場合に、負荷４０と操作端末１０とを一対一に配線接続するときには、少なくとも８本の電源線（もしくは信号線）および１本のグランド線が必要となるが、照明制御システム１００では、２線からなる電力線１１０のみでよい。これにより、例えば、大規模な建物において照明制御システム１００における配線を少なくすることができる。
【００２３】
操作端末１０は、ユーザが照明装置を含む負荷４０を制御するための操作を受け付ける装置であり、例えば、施設の壁等に設けられる。なお、操作端末１０は、負荷４０を制御するための機能だけでなく、音、文字および画像の少なくとも１以上の情報を使用した機能も有する。操作端末１０の詳細について、図２および図３を用いて説明する。
【００２４】
図２は、実施の形態に係る操作端末１０の一例を示す構成図である。図３は、実施の形態に係る操作端末１０の一例を示す外観正面図である。
【００２５】
操作端末１０は、プロセッサ（マイクロプロセッサ）、メモリ、通信インタフェース等を含む装置である。メモリは、ＲＯＭ、ＲＡＭ等であり、プロセッサにより実行される制御プログラムを記憶することができる。操作端末１０は、操作部１１、報知部１２、通信部１３、取得部１４、変換部１５および第１表示部１６を有する。
【００２６】
操作部１１は、照明装置を含む負荷４０を制御するための操作を受け付ける構成であり、図３に示されるように、例えば、操作端末１０の筺体上に設けられたスイッチまたはボタン等である。操作部１１が操作されることで、当該操作に応じて負荷４０を制御するための情報が生成される。具体的には、操作端末１０が有するプロセッサがメモリに格納された制御プログラムを実行することにより、当該操作に応じて負荷４０を制御するための情報が生成される。
【００２７】
報知部１２は、音、文字および画像の少なくとも１以上の情報を報知する構成であり、図３に示されるように、例えば、文字および画像の少なくとも１以上の情報を表示する第２表示部を含む。第２表示部は、例えば、サイネージである。このように、操作端末１０は、負荷４０を制御するための機能だけでなく、音、文字および画像の少なくとも１以上の情報を使用した機能も実現するために、操作部１１に加えて、報知部１２を有する。例えば、図３には、文字の情報の一例として「定時退社」という情報が報知部１２により報知（表示）されている例が示されている。例えば、通信部１３により文字および画像の少なくとも１以上の情報が受信されたり、後述する取得部１４により当該情報が取得されたりすることで、報知部１２は当該情報を報知する。具体的には、操作端末１０が有するプロセッサがメモリに格納された制御プログラムを実行することにより、報知部１２は、当該情報を報知する。
【００２８】
通信部１３は、負荷４０を制御するための情報の送信と、音、文字および画像の少なくとも１以上の情報の受信または送信とを、同じ伝送方式により行う通信インタフェースである。例えば、操作端末１０が有するプロセッサがメモリに格納された制御プログラムを実行することにより、このような情報の送受信を行う。通信部１３は、電力線１１０を介して通信するものであり、操作端末１０は、電力線１１０を介して電力供給を受けるものである。つまり、電力線１１０によって、情報の通信および電力供給の両方を行うことができる。電力線１１０は、上述したように、２線式の電力線を含む。
【００２９】
照明制御システム１００で用いられる伝送方式は、例えば、上述したように時分割の多重伝送方式であり、具体的には、ＮＭＡＳＴ（登録商標）のようなシステムに用いられる伝送方式である。通信部１３は、負荷４０を制御するための情報の送信をこのような多重伝送方式により行い、また、音、文字および画像の少なくとも１以上の情報の受信または送信も同じように多重伝送方式により行う。負荷４０を制御するための情報の送信と、音、文字および画像の少なくとも１以上の情報の受信または送信とを、同じ伝送方式により行う方法については、後述する図５から図７で説明する。
【００３０】
取得部１４は、音、文字および画像の少なくとも１以上の情報を取得する。操作端末１０は、例えばマイクロフォンを有し、マイクロフォンを介して音の情報を取得してもよい。また、操作端末１０は、例えばカメラを有し、カメラを介して文字または画像の情報を取得してもよい。また、操作端末１０は、スマートフォンまたはタブレット等の携帯端末と通信可能であってもよく、携帯端末によって取得された音、文字および画像の少なくとも１以上の情報を、携帯端末を介して取得してもよい。取得部１４は、マイクロフォンまたはカメラ等のハードウェア資源によって実現されてもよいし、プログラム（ソフトウェア）により実現されてもよい。
【００３１】
変換部１５は、取得部１４が取得した情報を変換する。変換部１５は、例えば、取得部１４が取得した情報を、負荷４０を制御するための情報に変換する。具体的には、取得部１４が取得した情報が、照明装置をオンさせることを意味する音声である場合に、変換部１５は、音声認識により当該音声が照明装置をオンさせることを示していることを認識し、取得部１４が取得した情報を、照明装置をオンさせるための情報に変換する。また、変換部１５は、例えば、取得部１４が取得した情報を、照明制御システム１００の設定のための情報に変換してもよい。具体的には、取得部１４が取得した情報が、照明装置のシーン制御についての設定のための画像である場合に、変換部１５は、画像認識等により当該画像が示すシーン制御についての設定内容を認識し、取得部１４が取得した情報をシーン制御についての設定を行うための情報に変換する。なお、画像は、ＱＲコード（登録商標）であってもよく、変換部１５は、ＱＲコード（登録商標）が示す内容を認識してもよい。そして、通信部１３は、変換部１５が変換した情報を、負荷４０を制御するための情報の送信、ならびに、音、文字および画像の少なくとも１以上の情報の受信または送信と同じ伝送方式により送信する。なお、通信部１３は、変換前の音、文字および画像の少なくとも１以上の情報の送信を行ってもよい。
【００３２】
第１表示部１６は、報知部１２と異なるものであって、操作部１１への操作に基づいた表示を行う構成であり、図３に示されるように、例えば、ＬＥＤ等により発光する発光部である。例えば、操作部１１への操作により照明装置がオンオフされる場合、照明装置がオンされたときには、特定の色（例えば緑）を発光する第１表示部１６（ＬＥＤ）がオンされ、照明装置がオフされたときには、特定の色（例えば赤）を発光する第１表示部１６（ＬＥＤ）がオンされる。第１表示部１６は、従来の操作端末（壁スイッチ等）にも設けられているものである。
【００３３】
［動作］
次に、操作端末１０の動作について、図４を用いて説明する。
【００３４】
図４は、実施の形態に係る操作端末１０の動作の一例を示すフローチャートである。
【００３５】
まず、操作部１１は、照明装置を含む負荷４０を制御するための操作を受け付ける（ステップＳ１１）。例えば、操作部１１は、照明装置をオンさせるための操作をユーザから受け付ける。
【００３６】
次に、通信部１３は、負荷４０を制御するための情報を送信する（ステップＳ１２）。例えば、当該情報は、電力線１１０を介していったん通信部１３から伝送ユニット２０へ送信され、伝送ユニット２０は、当該情報に応じた制御をさせる情報を電力線１１０を介して無線ＡＰ３０へ送信する。無線ＡＰ３０は、受信した信号に応じて照明装置をオンさせる。
【００３７】
照明装置がオンした場合、照明装置または無線ＡＰ３０は、伝送ユニット２０へ向けて照明装置がオンしたことを示す情報を、電力線１１０を介して送信する。伝送ユニット２０は、照明装置がオンしたことを示す音、文字および画像の少なくとも１以上の情報を、電力線１１０を介して操作端末１０へ送信する。このようにして、操作端末１０の通信部１３は、音、文字および画像の少なくとも１以上の情報を受信する（ステップＳ１３）。このとき、負荷４０を制御するための情報の送信と、音、文字および画像の少なくとも１以上の情報の受信とは、同じ伝送方式により行われている。
【００３８】
そして、報知部１２は、音、文字および画像の少なくとも１以上の情報を報知する（ステップＳ１４）。例えば、報知部１２は、照明装置がオンされたことを音、文字および画像の少なくとも１以上の情報によって報知する。なお、報知部１２は、照明装置の状態の報知だけでなく、その他の情報を音、文字および画像の少なくとも１以上の情報によって報知してもよい。例えば、予め定められた時刻（例えば１７時等）になった場合に、定時に退社することを示す画像の情報が伝送ユニット２０から操作端末１０へ送信されて、図３に示されるように、報知部１２（第２表示部）によりその画像が表示されてもよい。
【００３９】
［伝送方式］
次に、負荷４０を制御するための情報の送信と、音、文字および画像の少なくとも１以上の情報の受信または送信とを、同じ伝送方式により行う方法について、図５から図７を用いて説明する。
【００４０】
図５は、実施の形態に係る照明制御システム１００において用いられる伝送信号の一例を示す図である。例えば、図５には、負荷４０を制御するための情報のみが伝送されるときの伝送信号が示される。
【００４１】
例えば、ＮＭＡＳＴ（登録商標）のようなシステムで用いられる伝送方式では、伝送信号は、休止帯Ａと、スタート信号帯ＢおよびＣと、データを伝送するための信号送信帯Ｄと、返信信号を受信するタイムスロットである信号返信帯Ｅと、エンド信号帯ＦおよびＧとからなる。この伝送信号は、複極（±２４Ｖ）の時分割多重信号であり、パルス列からなるキャリアをパルス幅変調することによってデータを伝送するものである。なお、このような伝送信号は、ＮＭＡＳＴ（登録商標）のようなシステムで一般的に用いられているものであるため、詳細な説明は省略する。
【００４２】
例えば、このような負荷４０を制御するための情報のみが伝送される伝送信号に、音、文字および画像の少なくとも１以上の情報を重畳することで、負荷４０を制御するための情報の送信と、音、文字および画像の少なくとも１以上の情報の受信または送信とを、同じ伝送方式により行う。以下では、音、文字および画像の少なくとも１以上の情報の重畳の方法について、図６および図７を用いて２つの具体例を説明する。
【００４３】
図６は、音、文字および画像の少なくとも１以上の情報を重畳された伝送信号の一例を示す図である。
【００４４】
図６に示されるように、例えば、休止帯Ａ、スタート信号帯ＢおよびＣにおいて極性が反転しないようにし、休止帯Ａ、スタート信号帯ＢおよびＣに音、文字および画像の少なくとも１以上の情報を示すパケットＰを重畳させる。これにより、負荷４０を制御するための情報の送信と、音、文字および画像の少なくとも１以上の情報の受信または送信との干渉を避けつつ、これらの情報の送受信を共通の電力線１１０において同じ伝送方式により同時に行うことができる。
【００４５】
図７は、音、文字および画像の少なくとも１以上の情報を重畳された伝送信号の他の一例を示す図である。
【００４６】
例えば、負荷４０を制御するための情報の送信と、音、文字および画像の少なくとも１以上の情報の受信または送信とは、必ずしも同時に行われなくてもよい。例えば、定期的に（例えば２回に１回等の頻度で）信号送信帯Ｄにおいて負荷４０を制御するための情報についてのデータを送信しないようにし、信号送信帯Ｄおよび信号返信帯Ｅに音、文字および画像の少なくとも１以上の情報を示すパケットＰを重畳させる。これにより、負荷４０を制御するための情報の送信のタイミングと、音、文字および画像の少なくとも１以上の情報の受信または送信とのタイミングを分けて、これらの情報の送受信を共通の電力線１１０において同じ伝送方式により行うことができる。
【００４７】
例えば、パケットＰを伝送信号に重畳することで、伝送量を最大で４０倍にすることが可能となる。
【００４８】
［変形例］
なお、上記説明では、報知部１２は、文字および画像の少なくとも１以上の情報を表示する第２表示部を含んでいたが、音の情報を出力する音出力部を含んでいてもよい。これについて、図８を用いて説明する。
【００４９】
図８は、実施の形態に係る操作端末１０の他の一例を示す外観正面図である。
【００５０】
図８に示されるように、報知部１２は、音出力部として例えばスピーカを含んでいてもよい。例えば、照明装置がオフとなったときに「消灯中です」といった情報が報知部１２により報知（音声出力）される。例えば、通信部１３により音の情報が受信されたり、取得部１４により当該情報が取得されたりすることで、報知部１２は当該情報を報知する。
【００５１】
［効果等］
以上説明したように、操作端末１０は、照明装置を含む負荷４０を制御するための操作を受け付ける操作部１１と、音、文字および画像の少なくとも１以上の情報を報知する報知部１２と、通信部１３と、を有する。通信部１３は、負荷４０を制御するための情報の送信と、音、文字および画像の少なくとも１以上の情報の受信または送信とを、同じ伝送方式により行う。
【００５２】
これによれば、負荷４０を制御するための情報の送信と、音、文字および画像の少なくとも１以上の情報の受信または送信とが同じ伝送方式により行われるため、これらの情報の送受信を共通の電力線１１０において行うことができる。つまり、例えば、すでに施設等に設置されている負荷４０を制御するための機能を有する照明制御システムに、さらに、音、文字および画像の少なくとも１以上の情報を使用した機能も追加する場合に、負荷４０を制御するための情報の通信のための配線とは別に、音、文字および画像の少なくとも１以上の情報の通信のための配線を設ける必要がなく、照明制御システム１００全体が大型化および高コスト化してしまうことを抑制できる。このように、照明制御システム１００において、音、文字および画像の少なくとも１以上の情報を使用した機能を容易に追加できる。
【００５３】
例えば、照明制御システム１００において、負荷４０を制御するための機能、ならびに、音、文字および画像の少なくとも１以上の情報を使用した機能を有する操作端末１０と、負荷４０を制御するための機能は有するが、音、文字および画像の少なくとも１以上の情報を使用した機能を有さない操作端末とを混在させることができる。したがって、照明制御システム１００において、従来から存在する操作端末を、多機能な操作端末１０へと徐々に交換していくことも可能となる。
【００５４】
また、操作端末１０は、さらに、音、文字および画像の少なくとも１以上の情報を取得する取得部１４と、取得部１４が取得した情報を変換する変換部１５と、を有し、通信部１３は、変換部１５が変換した情報を上記伝送方式により送信してもよい。
【００５５】
音、文字および画像の少なくとも１以上の情報について、例えば伝送ユニット２０等において変換しなくてもよく、本態様のように、操作端末１０において所望の形式に変換して（例えば、負荷４０を制御するための情報に変換して）、負荷４０へ向けて送信してもよい。
【００５６】
また、操作端末１０は、さらに、報知部１２と異なるものであって、操作部１１への操作に基づいた表示を行う第１表示部１６を有していてもよい。
【００５７】
これによれば、操作部１１へどのような操作がなされたのかを第１表示部１６の表示によって確認することができる。また、本発明では、操作端末１０は、第１表示部１６に加えて報知部１２も有するため、操作部１１への操作に基づいた表示だけでなく、報知部１２によって音、文字および画像の少なくとも１以上の情報の報知もできる。
【００５８】
また、通信部１３は、電力線１１０を介して通信するものであり、操作端末１０は、電力線１１０を介して電力供給を受けるものであってもよい。
【００５９】
これによれば、電力供給と情報の送受信とを共通の電力線１１０によって行うことができる。
【００６０】
また、電力線１１０は、２線式の電力線を含んでいてもよい。
【００６１】
これによれば、例えば、負荷４０と操作端末１０とを一対一に接続する配線が不要となり、照明制御システム１００における配線を少なくすることができる。
【００６２】
また、報知部１２は、文字および画像の少なくとも１以上の情報を表示する第２表示部を含んでいてもよい。
【００６３】
これによれば、文字および画像の少なくとも１以上の情報を表示によって報知できる。
【００６４】
また、報知部１２は、音の情報を出力する音出力部を含んでいてもよい。
【００６５】
これによれば、音の情報を音出力によって報知できる。
【００６６】
（その他の実施の形態）
以上、実施の形態に係る操作端末１０について説明したが、本発明は、上記実施の形態に限定されるものではない。
【００６７】
例えば、上記実施の形態では、操作端末１０は、取得部１４および変換部１５を有していたが、有していなくてもよい。
【００６８】
また、例えば、上記実施の形態では、操作端末１０は、第１表示部１６を有していたが、有していなくてもよい。
【００６９】
また、例えば、上記実施の形態では、通信部１３は、電力線１１０を介して通信するものであったが、電力線１１０を介して通信しなくてもよい。例えば、通信部１３は、電力の供給に用いられない通信線等を介して通信をしてもよい。
【００７０】
また、例えば、上記実施の形態では、伝送方式は、ＮＭＡＳＴ（登録商標）のようなシステムにおいて用いられる伝送方式であったが、負荷４０を制御するための情報の送信と、音、文字および画像の少なくとも１以上の情報の受信または送信とを、同じ伝送方式により行うことができれば、このような伝送方式に限らない。
【００７１】
また、本発明は、操作端末１０として実現できるだけでなく、照明装置を含む負荷４０を制御するための制御装置（例えば操作端末１０）と負荷４０との通信方法として実現できる。
【００７２】
例えば、図４に示されるように、当該通信方法では、負荷４０を制御するための情報の送信（ステップＳ１２）と、音、文字および画像の少なくとも１以上の情報の受信または送信（ステップＳ１３）とを、同じ伝送方式により行う。
【００７３】
例えば、それらのステップは、コンピュータ（コンピュータシステム）によって実行されてもよい。そして、本発明は、それらの方法に含まれるステップを、コンピュータに実行させるためのプログラムとして実現できる。さらに、本発明は、そのプログラムを記録したＣＤ−ＲＯＭ等である非一時的なコンピュータ読み取り可能な記録媒体として実現できる。
【００７４】
例えば、本発明が、プログラム（ソフトウェア）で実現される場合には、コンピュータのＣＰＵ、メモリおよび入出力回路等のハードウェア資源を利用してプログラムが実行されることによって、各ステップが実行される。つまり、ＣＰＵがデータをメモリまたは入出力回路等から取得して演算したり、演算結果をメモリまたは入出力回路等に出力したりすることによって、各ステップが実行される。
【００７５】
また、上記実施の形態の操作端末１０に含まれる各構成要素は、専用または汎用の回路として実現されてもよい。
【００７６】
また、上記実施の形態の操作端末１０に含まれる各構成要素は、集積回路（ＩＣ：Ｉｎｔｅｇｒａｔｅｄ  Ｃｉｒｃｕｉｔ）であるＬＳＩ（Ｌａｒｇｅ  Ｓｃａｌｅ  Ｉｎｔｅｇｒａｔｉｏｎ）として実現されてもよい。
【００７７】
また、集積回路はＬＳＩに限られず、専用回路または汎用プロセッサで実現されてもよい。プログラム可能なＦＰＧＡ（Ｆｉｅｌｄ  Ｐｒｏｇｒａｍｍａｂｌｅ  Ｇａｔｅ  Ａｒｒａｙ）、または、ＬＳＩ内部の回路セルの接続および設定が再構成可能なリコンフィギュラブル・プロセッサが、利用されてもよい。
【００７８】
さらに、半導体技術の進歩または派生する別技術によりＬＳＩに置き換わる集積回路化の技術が登場すれば、当然、その技術を用いて、操作端末１０に含まれる各構成要素の集積回路化が行われてもよい。
【００７９】
その他、実施の形態に対して当業者が思いつく各種変形を施して得られる形態や、本発明の趣旨を逸脱しない範囲で各実施の形態における構成要素および機能を任意に組み合わせることで実現される形態も本発明に含まれる。
【符号の説明】
【００８０】
１０  操作端末
１１  操作部
１２  報知部
１３  通信部
１４  取得部
１５  変換部
１６  第１表示部
４０  負荷
１１０  電力線
【図１】
2020136929.tif 000003
【図２】
2020136929.tif 000004
【図３】
2020136929.tif 000005
【図４】
2020136929.tif 000006
【図５】
2020136929.tif 000007
【図６】
2020136929.tif 000008
【図７】
2020136929.tif 000009
【図８】
2020136929.tif 000010